(57)【要約】【課題】専用紙を用いることなく吐出部材の取付位置を調整することができる画像形成装置を得る。【解決手段】ロール部６２の外周面６２Ａには、装置奥行方向に延びるけがき線６４が、ロール部６２の装置奥行方向の一端部から他端部まで複数本形成されている。これにより、連続紙Ｐに形成されたサンプル直線８０とけがき線６４とを装置内で比較し、比較した結果に基づいて記録ヘッド２２の傾斜度合いを変化させて記録ヘッド２２の取付位置を調整するようになっている。このため、専用紙を用いることなく記録ヘッド２２の取付位置が調整される。【選択図】図１
2016141112.tif 000002
【特許請求の範囲】
【請求項１】
連続紙に液滴を吐出する吐出部材と、
前記連続紙の搬送方向において前記吐出部材に対して下流側に配置され、前記吐出部材によって前記連続紙に形成された紙幅方向に延びるサンプル画像と比較可能な基準印が形成されている基準部材と、
を備える画像形成装置。
【請求項２】
前記基準部材は、前記連続紙が巻き掛けられ、回転可能とされ、前記連続紙の搬送経路に沿って前記連続紙を搬送する搬送部材である請求項１に記載の画像形成装置。
【請求項３】
前記サンプル画像と前記基準印とを一緒に撮像する撮像部材と、
前記吐出部材の取付位置を調整する調整部材と、
前記撮像部材の撮像結果によって前記サンプル画像と前記基準印とを比較し、前記サンプル画像と前記基準印との比較結果によって前記調整部材を制御して前記吐出部材の取付位置を調整させる制御部と、
を備える請求項１又は２に記載の画像形成装置。
【発明の詳細な説明】
【技術分野】
【０００１】
本発明は、画像形成装置に関する。
【背景技術】
【０００２】
特許文献１に記載のインクジェットプリンタは、記録媒体の幅方向（主走査方向）に延びる記録ヘッドと、記録ヘッドの主走査方向の一端から他端に向かう基準光路を形成する光学系とを備えている。そして、記録ヘッドが基準光路に対して傾斜してしまった場合には、記録ヘッドと基準光路と平行になるように、アライメント機構が記録ヘッドの取付位置を調整するようになっている。
【先行技術文献】
【特許文献】
【０００３】
【特許文献１】特開２００８−１２７１２号公報
【発明の概要】
【発明が解決しようとする課題】
【０００４】
記録ヘッドの取付位置を調整する方法として、紙幅方向に延びる複数本の基準直線が間隔を空けて形成（描画）されている専用紙（プレプリント紙）を用いる場合がある。この専用紙を用いる場合には、記録ヘッドによってこの専用紙に紙幅方向に延びるサンプル画像を形成させる。そして、装置外に出力された専用紙の一部を切り出し、基準直線とサンプル画像とを比較しながら記録ヘッドの取付位置を調整していた。このため、記録ヘッド（吐出部材）の取付位置を調整するのに、専用紙が必要となり、かつ、調整に要する時間が長くなっていた。
【０００５】
本発明の課題は、専用紙を用いることなく吐出部材の取付位置を調整することである。
【課題を解決するための手段】
【０００６】
本発明の請求項１に係る画像形成装置は、連続紙に液滴を吐出する吐出部材と、前記連続紙の搬送方向において前記吐出部材に対して下流側に配置され、前記吐出部材によって前記連続紙に形成された紙幅方向に延びるサンプル画像と比較可能な基準印が形成されている基準部材と、を備えることを特徴とする。
【０００７】
本発明の請求項２に係る画像形成装置は、請求項１に記載の画像形成装置において、  前記基準部材は、前記連続紙が巻き掛けられ、回転可能とされ、前記連続紙の搬送経路に沿って前記連続紙を搬送する搬送部材であることを特徴とする。
【０００８】
本発明の請求項３に係る画像形成装置は、請求項１又は２に記載の画像形成装置において、前記サンプル画像と前記基準印とを一緒に撮像する撮像部材と、前記吐出部材の取付位置を調整する調整部材と、前記撮像部材の撮像結果によって前記サンプル画像と前記基準印とを比較し、前記サンプル画像と前記基準印との比較結果によって前記調整部材を制御して前記吐出部材の取付位置を調整させる制御部と、を備えることを特徴とする。
【発明の効果】
【０００９】
本発明の請求項１の画像形成装置によれば、専用紙を用いることなく吐出部材の取付位置を調整するができる。
【００１０】
本発明の請求項２の画像形成装置によれば、基準部材として専用の部材を設ける場合と比して、部品点数を削減することができる。
【００１１】
本発明の請求項３の画像形成装置によれば、作業者がサンプル画像と基準印とを比較して吐出部材の取付位置を調整する場合と比して、吐出部材の取付位置を容易に調整することができる。
【図面の簡単な説明】
【００１２】
【図１】本発明の第１実施形態に係る画像形成装置に備えられた搬送ロール、及び搬送ロール形成されたけがき線等を示した斜視図である。
【図２】本発明の第１実施形態に係る画像形成装置に備えられた搬送ロール、及び搬送ロール形成されたけがき線等を示した正面図である。
【図３】本発明の第１実施形態に係る画像形成装置に備えられた搬送ロール、及び搬送ロール形成されたけがき線を示した斜視図である。
【図４】本発明の第１実施形態に係る画像形成装置に備えられた記録ヘッド、及び調整部材を示した平面図である。
【図５】本発明の第１実施形態に係る画像形成装置の記録ヘッドの取付位置を調整する調整作業の工程を示したフロー図である。
【図６】本発明の第１実施形態に係る画像形成装置を示した概略構成図である。
【図７】本発明の第２実施形態に係る画像形成装置に備えられた基準部材等を示した斜視図である。
【発明を実施するための形態】
【００１３】
＜第１実施形態＞
本発明の第１実施形態に係る画像形成装置の一例を図１〜図６に従って説明する。なお図中に示す矢印Ｈは、装置上下方向（鉛直方向）を示し、矢印Ｗは、装置幅方向（水平方向）を示し、矢印Ｄは、装置奥行方向（水平方向）を示す。
【００１４】
（全体構成）
画像形成装置１０は、インクジェット式の画像形成装置である。画像形成装置１０は、図６に示されるように、記録媒体としての連続紙Ｐに画像を形成する画像形成ユニット１２と、画像形成ユニット１２に供給される連続紙Ｐが収容される前処理ユニット１４と、バッファユニット１６とを備えている。さらに、画像形成装置１０は、画像形成ユニット１２から排出される連続紙Ｐを収容する後処理ユニット１８と、バッファユニット２０とを備えている。また、画像形成装置１０は、各部を制御する制御部３０を備えている。
【００１５】
なお、後述する調整作業において制御部３０が各部を制御する構成については、要部構成の作用で説明する。
【００１６】
〔画像形成ユニット〕
画像形成ユニット１２は、連続紙Ｐの搬送経路２４に沿って配置され、連続紙Ｐの表面に液滴を吐出して画像を形成する液滴吐出装置２１を備えている。
【００１７】
この液滴吐出装置２１は、連続紙Ｐに液滴を吐出してＫ（ブラック）色の画像を形成する記録ヘッド２２Ｋと、Ｙ（イエロー）色の画像を形成する記録ヘッド２２Ｙとを備えている。さらに、液滴吐出装置２１は、Ｍ（マゼンタ）色の画像を形成する記録ヘッド２２Ｍと、Ｃ（シアン）色の画像を形成する記録ヘッド２２Ｃとを備えている。そして、記録ヘッド２２Ｋ、記録ヘッド２２Ｙ、記録ヘッド２２Ｍ、及び記録ヘッド２２Ｃは、この順番で連続紙Ｐの搬送方向（以下「用紙搬送方向」）の上流側から下流側に連続紙Ｐと対向するように並べられている。なお、以後の説明では、Ｋ、Ｙ、Ｍ、Ｃを区別しない場合には、符号に付しているＫ、Ｙ、Ｍ、Ｃを省略する場合がある。また、この記録ヘッド２２は、吐出部材の一例とされている。
【００１８】
なお、画像形成ユニット１２の詳細については後述する。
【００１９】
〔前処理ユニット・後処理ユニット〕
前処理ユニット１４は、画像形成ユニット１２へ供給される連続紙Ｐが巻き付けられている供給ロール２７を備えており、この供給ロール２７は、図示せぬフレーム部材に回転可能に支持されている。
【００２０】
一方、後処理ユニット１８は、画像が形成された連続紙Ｐを巻き取る巻取ロール２８を備えている。そして、この巻取ロール２８がモータ３４から回転力を受けて回転することで、連続紙Ｐが搬送経路２４に沿って搬送されるようになっている。なお、モータ３４は、ステッピングモータとされている。
【００２１】
この構成において、巻取ロール２８を回転させることで、用紙搬送方向の張力が連続紙Ｐに付与され、連続紙Ｐが搬送経路２４に沿って搬送されるようになっている。
【００２２】
〔バッファユニット〕
バッファユニット１６は、搬送経路２４において、前処理ユニット１４と画像形成ユニット１２との間に配置されている。そして、バッファユニット１６は、前処理ユニット１４から画像形成ユニット１２へ供給される連続紙Ｐの搬送量等を調整するようになっている。
【００２３】
バッファユニット２０は、搬送経路２４において、画像形成ユニット１２と後処理ユニット１８との間に配置されている。そして、バッファユニット２０は、画像形成ユニット１２から後処理ユニット１８へ排出される連続紙Ｐの搬送量等を調整するようになっている。
【００２４】
（要部構成）
次に、画像形成ユニット１２について説明する。
【００２５】
先ず、画像形成ユニット１２に備えられている記録ヘッド２２について説明する。各色の記録ヘッド２２は、同様の構成とされている。このため、以下の説明では、一の記録ヘッド２２について説明する。
【００２６】
記録ヘッド２２において連続紙Ｐと対向する面は、複数のノズル（図示省略）が形成されたノズル面３２とされている。そして、記録ヘッド２２は、側方から見て、装置上下方向に延びる矩形状とされ（図６参照）、上方から見て、装置奥行方向（連続紙Ｐの幅方向）に延びる矩形状とされている（図４参照）。そして、この記録ヘッド２２によって連続紙Ｐの紙幅方向の一端から他端まで画像が形成できるようになっている。
【００２７】
また、記録ヘッド２２は、図４に示されるように、記録ヘッド２２の装置奥行方向の奥側（図中左側）の部分を支持する支持部材３６と、記録ヘッド２２の装置奥行方向の手前側の部分を支持する支持部材３８とを介してフレーム部材（図示省略）に支持されている。
【００２８】
支持部材３６は、装置上下方向に延びる回転軸３６Ａを有しており、支持部材３６は、回転軸３６Ａを中心に回転可能とされている。
【００２９】
支持部材３８は、図示せぬ連結部材で支持部材３６と連結され、回転軸３６Ａを中心に回転可能とされている。そして、支持部材３８には、装置奥行方向の手前側（図中右側）に突出する突出板４０が設けられている、この突出板４０の板面は、装置幅方向を向いている。
【００３０】
さらに、突出板４０の一方の面４０Ａと外周面で接触する偏心カム４４が設けられ、突出板４０の他方の面４０Ｂと一端で接触する圧縮コイルバネ４６が設けられている。
【００３１】
この圧縮コイルバネ４６は、圧縮コイルバネ４６の他端でフレーム９０に支持されており、圧縮コイルバネ４６の付勢力によって、突出板４０が偏心カム４４側に付勢されている。
【００３２】
また、偏心カム４４には、装置上下方向に延びる回転軸４４Ａが形成され、この回転軸４４Ａに回転力を付与するステッピングモータ４８（以下「モータ４８」）が設けられている。
【００３３】
この構成において、モータ４８から付与された回転力によって偏心カム４４が回転軸４４Ａを中心に回転すると、支持部材３８、記録ヘッド２２、及び支持部材３６が、回転軸３６Ａを中心に回転するようになっている。つまり、記録ヘッド２２の装置奥行方向に対する傾斜度合いが変化することで、記録ヘッド２２の取付位置（取付角度）が調整されるようになっている。
【００３４】
このように、記録ヘッド２２の取付位置を調整する調整部材４２は、支持部材３６、支持部材３８、偏心カム４４、圧縮コイルバネ４６、及びモータ４８を含んで構成されている。
【００３５】
なお、記録ヘッド２２は、支持部材３６及び支持部材３８に対して着脱可能とされている。
【００３６】
記録ヘッド２２Ｃに対して用紙搬送方向の下流側には、図６に示されるように、連続紙Ｐが巻き掛けられ、搬送される連続紙Ｐと接触して従動回転する搬送ロール５６が配置されている。さらに、搬送ロール５６に対して用紙搬送方向の下流側には、連続紙Ｐの裏面が巻き掛けられ、搬送される連続紙Ｐと接触して従動回転する搬送ロール５８が配置されている。
【００３７】
そして、この搬送ロール５６によって搬送経路２４が折り返され、搬送ロール５８によって、さらに搬送経路２４が折り返されるようになっている。
【００３８】
搬送ロール５６は、金属製のロールであって、図３に示されるように、円柱状の回転軸６０と搬送部材の一例としての円筒状のロール部６２とを含んで構成されている。そして、ロール部６２の装置奥行方向の長さは、連続紙Ｐの紙幅より長くされている。本実施形態では、ロール部６２の装置奥行方向の長さは、５５８．８〔ｍｍ〕（２２〔ｉｎｃｈ〕）とされ、連続紙Ｐの紙幅は、５２０．７〔ｍｍ〕（２０．５〔ｉｎｃｈ〕）とされている。また、ロール部６２の外周面６２Ａには、装置奥行方向に延びる基準印の一例としてのけがき線６４が、ロール部６２の装置奥行方向の一端部から他端部まで複数本形成されている。この外周面６２Ａは、接触面の一例とされている。本実施形態では、けがき線６４は、黒色に着色され、けがき線６４の線幅は、０．５〔ｍｍ〕とされ、けがき線６４の光学濃度は、ＯＤ１．５以上とされている。さらに、けがき線６４は、ロール部６２の周方向に１０〔°〕間隔で形成されている。
【００３９】
また、図１に示されるように、連続紙Ｐにおいて搬送ロール５８に巻き掛けられた部分を撮像するカメラ６８Ａ及びカメラ６８Ｂが設けられている。つまり、カメラ６８Ａ及びカメラ６８Ｂが、サンプル直線８０とけがき線６４とを一緒に撮像するようになっている。具体的には、カメラ６８Ａが、連続紙Ｐの幅方向の一端側（図中左側）を撮像し、カメラ６８Ｂが、連続紙Ｐの幅方向の他端側（図中右側）を撮像するようになっている。このカメラ６８Ａ及びカメラ６８Ｂは、撮像部材の一例とされている。
【００４０】
さらに、搬送ロール５８に対して用紙搬送方向の下流側には、図６に示されるように、外周面７２Ａに連続紙Ｐの裏面が巻き掛けられ、搬送される連続紙Ｐと接触して従動回転しながら連続紙Ｐに形成された画像を乾燥するための乾燥ドラム７２が配置されている。
【００４１】
また、乾燥ドラム７２の周囲には、連続紙Ｐに形成された画像を乾燥させるハロゲンヒータ７４が２個配置されている。このハロゲンヒータ７４が、乾燥ドラム７２に巻き掛けられた連続紙Ｐの画像を乾燥させるようになっている。
【００４２】
（要部構成の作用）
次に、記録ヘッド２２の取付位置を調整する調整作業について、図５に示すフロー図を用いて説明する。具体的には、調整作業において制御部３０によって行われる各部材の制御について説明する。
【００４３】
通常、記録ヘッド２２が取り外された状態で、画像形成装置１０が工場から出荷され、使用する目的地で画像形成装置１０が備え付けられる際に、各色の記録ヘッド２２が画像形成装置１０に装着される。さらに、画像形成装置１０に連続紙Ｐが取り付けられる。
【００４４】
各色の記録ヘッド２２が画像形成装置１０に装着され、さらに、連続紙Ｐが画像形成装置１０に取り付けられると、記録ヘッド２２毎に、調整作業が行われる。なお、色に係らず記録ヘッド２２の取付位置を調整する調整作業は、同様のため、以下、一の記録ヘッド２２に対する調整作業について説明する。
【００４５】
記録ヘッド２２が、画像形成装置１０（支持部材３６及び支持部材３８）に装着されると、作業者が、ユーザーインターフェイスに表示された調整作業開始ボタン（図示省略）に押圧する。これにより、調整作業が開始される。
【００４６】
先ず、ステップ１００で、制御部３０は、記録ヘッド２２を制御して、サンプル画像との一例としての直線８０（図１参照、以下「サンプル直線」）を連続紙Ｐに形成させる。ここで、サンプル直線８０は、連続紙Ｐの幅方向の一端から他端まで形成され、記録ヘッド２２が予め定められた基準位置に装着されている場合には、連続紙Ｐの幅方向（装置奥行方向）に延びるように形成される。
【００４７】
サンプル直線８０が連続紙Ｐに形成されるとステップ２００に移行する。
【００４８】
ステップ２００で、制御部３０は、モータ３４を制御して、巻取ロール２８を回転させて連続紙Ｐを搬送経路２４に沿って搬送させる。さらに、制御部３０は、記録ヘッド２２によって形成されたサンプル直線８０がカメラ６８Ａ及びカメラ６８Ｂと対向する位置に到達すると、連続紙Ｐの搬送を停止させる。この状態で、図１に示されるように、連続紙Ｐにおいてサンプル直線８０が形成されている部分は、搬送ロール５６に巻き掛けられた状態となっている。連続紙Ｐの搬送が停止されるとステップ３００に移行する。
【００４９】
ステップ３００で、制御部３０は、カメラ６８Ａ及びカメラ６８Ｂを制御して、連続紙Ｐにおいてサンプル直線８０が形成されている部分の両端側を撮像させる。カメラ６８Ａ及びカメラ６８Ｂによる撮像が終了すると、ステップ４００に移行する。
【００５０】
ステップ４００で、制御部３０は、カメラ６８Ａによって撮像された画像から、サンプル直線８０の一端と、けがき線６４との位置ずれ量（図１、図２に示すＤ１）を求める。さらに、制御部３０は、カメラ６８Ｂによって撮像された画像から、サンプル直線８０の他端と、サンプル直線８０の一端と比較したけがき線６４との位置ずれ量（図１、図２に示すＤ２）を求める。制御部３０が、夫々の位置ずれ量を求めると、ステップ５００に移行する。なお、制御部３０は、カメラ６８Ａ、６８Ｂによって撮像された画像を比較して、サンプル直線８０と比較対象となるけがき線６４を特定できるようになっている。
【００５１】
ステップ５００で、制御部３０は、サンプル直線８０の一端とけがき線６４との位置ずれ量と、サンプル直線８０の他端とけがき線６４との位置ずれ量とから、記録ヘッド２２の基準位置に対する傾斜度合いを求める。そして、制御部３０は、記録ヘッド２２の傾斜度合いが、予め定められた閾値内か否かを判断する。閾値内である場合には、制御部３０が調整作業を終了させ、閾値外である場合は、ステップ６００へ移行する。
【００５２】
ステップ６００で、制御部３０は、モータ４８を制御して偏心カム４４を回転させる（図４参照）。そして、記録ヘッド２２の傾斜度合いが小さくなるように、記録ヘッド２２の装置奥行方向に対する傾斜度合いを変化させる。記録ヘッド２２の傾斜度合いを変化させると、ステップ１００へ移行して前述した工程が繰り返される。そして、記録ヘッド２２の傾斜度合いが、閾値内になるまで前述した工程が繰り返され、記録ヘッド２２の傾斜度合いが閾値内となると調整作業が終了する。
【００５３】
以上の調整作業を各色の記録ヘッド２２に対して行うことで、各色の記録ヘッド２２の取付位置が調整される。
【００５４】
（まとめ）
以上説明したように、本実施形態では、連続紙Ｐに形成されたサンプル直線８０とけがき線６４とを装置内で比較した結果に基づいて記録ヘッド２２の傾斜度合いを変化させて記録ヘッド２２の取付位置を調整するようになっている。このため、専用紙を用いることなく記録ヘッド２２の取付位置が調整される。
【００５５】
また、サンプル直線８０と比較するけがき線６４は、搬送ロール５６に形成されている。このため、けがき線６４を形成するために専用部材を設ける場合と比して、部品点数が削減される。
【００５６】
また、制御部３０が、カメラ６８Ａ、カメラ６８Ｂによって撮像された画像からサンプル直線８０とけがき線６４との位置ずれ量を求める。さらに、制御部３０は、サンプル直線８０とけがき線６４との位置ずれ量に基づいて、調整部材４２を制御して記録ヘッド２２の取付位置を調整させる。これにより、作業者がこれらの作業を行う場合と比して、記録ヘッド２２の取付位置が容易に調整される。
【００５７】
＜第２実施形態＞
次に、本発明の第２実施形態に係る画像形成装置１５０の一例を図７に従って説明する。なお、第１実施形態と同一部材等については、同一符号を付してその説明を省略し、第１実施形態と異なる部分を主に説明する。
【００５８】
第２実施形態の画像形成装置１５０に備えられた搬送ロール５６には、けがき線が形成されていない。搬送経路２４において液滴吐出装置２１と搬送ロール５６との間には、図７に示されるように、連続紙Ｐの非画像形成面（下側の面）を支持する支持部材１５２が設けられている。
【００５９】
さらに、連続紙Ｐを挟んで支持部材１５２の反対側には、基準部材の一例としてのガラス板１５４が設けられ、ガラス板１５４は、外周縁で板状の保持部材１５８に保持されている。そして、保持部材１５８が、図示せぬ位置決めピン、及び取付部材等を用いて、支持部材１５２に位置決めされた状態で取り付けられている。
【００６０】
ガラス板１５４の装置奥行方向の長さは、連続紙Ｐの紙幅より長くされ、ガラス１５４には、装置奥行方向に延びる基準印の一例としてのけがき線１６０が、ガラス１５４の装置奥行方向の一端部から他端部まで複数本形成されている。
【００６１】
この構成において、上方側から、ガラス板１５４を通してサンプル直線８０が見られるようになっており、上方側から、けがき線１６０とサンプル直線８０とが比較されるようになっている。他の作用については、第１実施形態と同様である。
【００６２】
なお、本発明を特定の実施形態について詳細に説明したが、本発明はかかる実施形態に限定されるものではなく、本発明の範囲内にて他の種々の実施形態をとることが可能であることは当業者にとって明らかである。例えば、上記第１、２実施形態では、制御部３０が、カメラ６８Ａ、カメラ６８Ｂの撮像結果に基づいてサンプル直線８０とけがき線６４、１６０とを比較し、この比較結果に基づいて、調整部材４２を制御して記録ヘッド２２の取付位置を調整させた。しかし、作業者が、サンプル直線８０とけがき線６４、１６０とを目視して比較し、この比較結果に基づいて、作業者が、記録ヘッド２２の取付位置を調整してもよい。この場合には、装置本体にのぞき窓１１０を設置して図６に示す矢印Ｋ１方向から作業者が、サンプル直線８０とけがき線６４とを目視することができ、装置本体にのぞき窓１１２を設置して図６に示す矢印Ｋ２方向から作業者が、サンプル直線８０とけがき線１６０とを目視することができる。そして、サンプル直線８０とけがき線６４、１６０とを目視する際にサンプル直線８０とけがき線６４、１６０とを照射する照射部材を用いてもよい。
【００６３】
また、上記実施形態では、サンプル直線（サンプル画像）１００と比較する基準印しとして直線であるけがき線６４、１６０を用いたが、特に直線である必要はなく、サンプル直線８０と比較できる印であればよい。
【００６４】
また、上記実施形態では、サンプル画像として直線であるサンプル直線８０を用いてが、特にけがき線６４、１６０（基準印）と比較できればよく、紙幅方向に延びる他の形状（例えば点線等）の画像であってもよい。
【００６５】
また、上記実施形態では、搬送ロール５６にけがき線６４、１６０が形成されたが、連続紙Ｐと接触する部材において、連続紙Ｐと接触する接触面にけがき線を形成してもよい。
【００６６】
また、上記実施形態では、画像形成装置１０を使用目的地に設置する際に、調整作業を行ったが、記録ヘッド２２を交換する際に調整作業を行ってもよい。
【００６７】
また、上記実施形態では、けがき線６４が形成されている搬送ロール５６は、従動ロールであったが、駆動ロールであってもよい。
【００６８】
また、上記実施形態では、記録ヘッド２２の傾斜度合いを変化させて記録ヘッド２２の取付位置を調整したが、他の移動方法によって記録ヘッド２２の取付位置を調整してもよい。
【００６９】
また、上記実施形態では、サンプル直線８０は、一本であったが、多数本であってもよい。
【００７０】
また、上記実施形態では、連続紙Ｐの搬送が停止されている際に、記録ヘッド２２によってサンプル直線８０が連続紙Ｐに形成されたが、連続紙Ｐが搬送されている際に記録ヘッド２２によってサンプル直線８０が連続紙Ｐに形成されてもよい。
【符号の説明】
【００７１】
１０          画像形成装置
２２          記録ヘッド（吐出部材の一例）
２４          搬送経路
３０          制御部
４２          調整部材
６２          ロール部（搬送部材の一例）
６４          けがき線（基準印の一例）
６８Ａ        カメラ（撮像部材の一例）
６８Ｂ        カメラ（撮像部材の一例）
８０          サンプル直線（サンプル画像の一例）
１５０        画像形成装置
１５４        ガラス板（基準部材の一例）
１６０        けがき線（基準印の一例）
【図１】
2016141112.tif 000003
【図２】
2016141112.tif 000004
【図３】
2016141112.tif 000005
【図４】
2016141112.tif 000006
【図５】
2016141112.tif 000007
【図６】
2016141112.tif 000008
【図７】
2016141112.tif 000009